(57)【要約】【課題】  ドアの開閉時に生じる隙間部をカバーでき、子供などが手指を挟むことがなく、また、ドアの表面を汚したり、傷つけたりすることがなく、外観的にも良好なドアの安全装置を実現すること。【解決手段】  ドアの開閉時に、そのドアの蝶番部分に手を挟むなどの事故を防止できる安全装置において、ドア枠に取り付けられているドアの蝶番部の開閉部分がカバーシートで覆われる保護手段が設けられており、また、その保護手段は、カバーシートの１辺側がドア枠に固定され、ドア側は、カバーシートの反対側の先端部分が出し入れ自在に収納される収納手段が設けられていることを特徴とするドアの安全装置である。【選択図】図１３
2009299447.tif 000002
【特許請求の範囲】
【請求項１】
ドアの開閉時に、そのドアの蝶番部分に手を挟むなどの事故を防止できる安全装置において、
ドア枠に取り付けられているドアの蝶番部の開閉部分がカバーシートで覆われる保護手段が設けられていることを特徴とするドアの安全装置。
【請求項２】
前記の保護手段は、カバーシートの１辺側がドア枠に固定され、ドア側は、カバーシートの反対側の先端部分が出し入れ自在に収納される収納手段が設けられていることを特徴とする請求項１に記載のドアの安全装置。
【請求項３】
前記の保護手段は、カバーシートの１辺側がドア枠に固定され、ドア側は、カバーシートの先端部分がドア本体の内部に出し入れ自在に収納されるドア内収納手段が設けられていることを特徴とする請求項１に記載のドアの安全装置。
【発明の詳細な説明】
【技術分野】
【０００１】  本発明は、ドアの安全装置に関するものであって、手指などがドアとドア枠との間に挟まれるのを防止する安全装置に関する。
【背景技術】
【０００２】  ドアとドア枠の接合箇所は、蝶番などが設けられ、ドア開放時、ドアとドア枠との隙問に挟角ができ、その部分に手や指を挟む危険性がある。【０００３】  特に子供は、背が低く、ドアの取手に届かない場合もあり、ドアの開閉部分に手や指を挟まれて怪我をする事故も少なくない。【０００４】  このような、ドアの開閉部に挟まれるのを防止するための発明も為されている。【０００５】例えば、実用新案登録第３１３３３１１号公報では、充分な剛性と弾性を有する材料を一体成型、或いは、組み合わせ方式で構成し、中心部、或いは、ばねと、中心部かばねの一側に連接される固定部と、中心部かばねのもう一側に連接される可動部と、からなる。【０００６】  固定部はドアフレームに固定され、可動部はドア方向で、自由端がドアに抵接し、ドアは開放状態でも閉鎖状態でも、ドアとドアフレーム問の隙問と挟角は可動部により遮蔽され、手指が挟まれるのを防止するというものである。【０００７】隙間部をカバーすることで子供などの手指が挟まれないように防止するためのものである。【０００８】
【特許文献１】実用新案登録第３１３３３１１号公報
【発明の開示】
【発明が解決しようとする課題】
【０００９】  上記の公報では、隙間部をカバーするカバー部材は可動式となっており、ドアを開閉するとその可動部の先端部分は、ドアの表面に擦れることになる。【００１０】  この擦れる動作は、繰り返し動作する中で、ドアの表面を傷つけてしまうこととなり、また、それにより、引っ掛かりが生じてしまう恐れもある。【００１１】  この部分にローラーなどを設けても良いが、同様に、ローラーによる見苦しい跡がドア表面に残ってしまうなどの問題がある。【００１２】  また、可動式とするためにばねを用いているが、このばねが弱いと、さらにその可動部とドアの隙間に指が挟まれることも考えられ、ばねが強すぎると、ドアの開閉に影響してしまうなどの問題がある。【００１３】本発明の解決しようとする問題点は、上記のような問題に鑑みてなされたものであり、ドアの開閉時に生じる隙間部をカバーでき、子供などが手指を挟むことがなく、また、ドアの表面を汚したり、傷つけたりすることがなく、外観的にも良好なドアの安全装置を実現することである。
【課題を解決するための手段】
【００１４】  本発明は、上記の問題点を解決するために、
請求項１では、ドアの開閉時に、そのドアの蝶番部分に手を挟むなどの事故を防止できる安全装置において、
ドア枠に取り付けられているドアの蝶番部の開閉部分がカバーシートで覆われる保護手段が設けられていることを特徴とするドアの安全装置としたものである。【００１５】  請求項２では、前記の保護手段は、カバーシートの１辺側がドア枠に固定され、ドア側は、カバーシートの反対側の先端部分が出し入れ自在に収納される収納手段が設けられていることを特徴とするドアの安全装置としたものである。【００１６】  請求項３では、前記の保護手段は、カバーシートの１辺側がドア枠に固定され、ドア側は、カバーシートの先端部分がドア本体の内部に出し入れ自在に収納されるドア内収納手段が設けられていることを特徴とするドアの安全装置とするものである。
【発明の効果】
【００１７】  本発明は以下の効果を奏する。【００１８】１）ドアフレームとドアの隙間に手指を挟まれることを防止できる。【００１９】２）ばねなどの部材がないので耐久性、安全性が高い。【００２０】３）取り付けが容易である。蝶番などの必要がない。【００２１】４）カバーシートの収納タイプとすることで、外観的に良好となる。
【発明を実施するための最良の形態】
【００２２】
【００２３】  本発明の一実施形態について図面を用いて説明する。【００２４】  図１は、本発明によるドアの安全装置の取り付け状態を示す外観図である。【００２５】  ドアフレーム２とドア１との隙間部分に保護手段となるカバーシート３が設けられている。５はドアの取手である。【００２６】  図２は、本発明のドアの安全装置のカバーシートの実施例を示す図である。（１）は、ドアが閉じた状態を示し、（２）はドアを開いた状態を示す。【００２７】  ドアを開くと、ドアフレーム２と、ドア１の取付け部分に隙間ができ、この部分に子供などが手や指を挟む危険がある。【００２８】  この発明では、この隙間部分に保護手段となるカバーシート３を取り付けたものである。【００２９】  図３は、本発明のドアの安全装置のカバーシートの実施例の取り付け状態を示す平面図である。カバーシート３は、ドア１とドアフレーム２の隙間を覆うように両端部分を各々ドア１とドアフレーム２とに固定されている。【００３０】  図４は、本発明のカバーシートの構成を示す概略図である。本カバーシート３は、弾性を有するゴム製のシート３ａと、硬質樹脂製による固定部材３ｂで構成され、該固定部材３ｂには、各々ドア１とドアフレーム２とにビス止めするための止め孔が設けられている。【００３１】  図５は、本発明のドアの安全装置のカバーシートの他の実施例を示す図である。このドアは、図２とドアフレーム１２へのドア１１の取付け部分に段差が生じているものである。【００３２】  （１）は、ドアを開いた状態を示す図であり。（２）ドアが閉じた状態を示す図である。
図２と同様に、隙間部分を覆うカバーシート１３が取り付けられている。【００３３】  図６は、カバーシート１３の取り付け状態を示す平面図である。１４は蝶番を示し、１５はドアの取手を示す。【００３４】図７は、本発明のドアの安全装置のカバーシート収納手段の実施例を示す図である。このカバーシート２３は、一端側はドアフレーム２２に固定されており、他端側は、ドア２１の外面に取り付けられた収納ケース２６の内部に可動式に収納できるようになっているものである。２５はドアの取手である。【００３５】  図８は、本発明のドアの安全装置のカバーシート収納手段の実施例の取り付け状態を示す平面図である。２４は、蝶番であり、２５はドアの取手である。（３）は、カバーシート２３の構成図であり、薄いプラスチックシート２３ａであり、一端部は、折り返して取付け部２３ｂとなっている。このプラスチックシートの取付け部２３ｂをドアフレーム２２に固定し、プラスチックシート２３ａの他端部が収納ケース２６の内部に可動式に収納されるものである。【００３６】  図９は、本発明のドアの安全装置のカバーシート収納手段の他の実施例を示す図である。（１）は、ドア３１が開いた状態を示し、（２）はドア３１が閉じた状態を示す。【００３７】  図１０は、図９の取り付け状態を示す平面図である。３２がドアフレームであり、３３がカバーシートであり、３４が蝶番であり、３５がドアの取手であり、３６は収納ケースである。【００３８】  図１１は、本発明のドアの安全装置のドア内部カバーシート収納手段の実施例を示す図である。（１）は、ドア４１を閉じた状態を示す図であり、（２）はドア４１を開いた状態を示す図である。この収納手段は、カバーシート４３の可動する端部は、ドア内部に設けられた収納部分４７に可動式に収納されるものである。【００３９】  図１２は、図１１の取り付け状態を示す水平断面図である。４２がドアフレームであり、４４は蝶番であり、４５はドアの取手であり、４７は、カバーシート４３の収納部である。【００４０】  図１３は、本発明のドアの安全装置のドア内部カバーシート収納手段の他の実施例を示す図である。（１）は、ドア５１を開いた状態を示す図であり、（２）はドア５１を閉じた状態を示す図である。この収納手段は、カバーシート５３の可動する端部は、ドア内部に設けられた収納部分５７に可動式に収納されるものである。【００４１】  図１４は、図１３の取り付け状態を示す水平断面図である。５２がドアフレームであり、５４は蝶番であり、５５はドアの取手であり、５７は、カバーシート５３の収納部である。【００４２】  このように、図２〜図６のカバーシートは、安価で大人であれば誰にでも取付けが簡単にでき、また、取替えも短時間でできる。【００４３】  カバーシートの取付け方法は、プラスチック等の止め具の一辺側を柱に、他の一辺側をドアに強力接着剤、若しくは釘かネジで固定すればよい。ゴムシートの幅は１００ｍｍ〜２００ｍｍ程度が好ましい。厚さは１．５ｍｍ〜２．５ｍｍ程度が好ましい。長さは、ドアのサイズに合わせればよいが、１７００ｍｍ〜２０００ｍｍ程度が良い。【００４４】  カバーシートの止め具は、薄いプラスチック又は薄い鋼板などが使用で��、幅８０ｍｍ〜１２０ｍｍ程度が好ましく、２つ折りにして使用することが出来る。長さはゴムシートに合わせると良い。【００４５】  また、図７〜図１４のカバーシートは、シートの収納部がドアの外面に取り付けられた収納ケース型と、ドアの内部に収納空間部を設けた内部収納型の２種類がある。共に外観が良く、取り付けも割合簡単にできる。特に錆びやすいバネや蝶番等を使わないので経費があまりかからないという大きなメリットがある。【００４６】  このタイプのカバーシートは、弾性を有するプラスチック製シートを用い、幅は、１２０ｍｍ〜２５０ｍｍ程度が好ましい。厚さは０．５ｍｍ〜１．５ｍｍ程度が好ましい。長さは、ドアのサイズに合わせれば良いが、１７００ｍｍ〜２０００ｍｍ程度が好ましい。【００４７】  また、このカバーシートの端部を２つ折りにして使用すると良い。折り返し部の幅は３０ｍｍ〜６０ｍｍ程度が好ましい。【００４８】  図７〜図１０のドアの外へ取り付けるカバーシートを収納する箱状の収納ケースの大きさは、カバーシートを収納できる大きさであればいずれでも良い。例えば、幅は、１４０ｍｍ〜２７０ｍｍ程度が好ましい。厚さは、２ｍｍ〜４ｍｍ程度が好ましい。長さは、カバーシートより２０ｍｍ〜４０ｍｍ長くすることが好ましい。【００４９】  収納ケースは、強力接着剤、若しくは釘かネジでドアに固定すると良い。【００５０】  尚、図７〜図１４では、ドアの開閉時に、カバーシートが収納ケース、若しくはドアの内部に出入りする際の隙間が１〜３ｍｍ程度であるので、幼児や子供などが指先を無理に入れようとしても入ることは無く安全である。
【図面の簡単な説明】
【００５１】
【図１】本発明のドアの安全装置の取り付け状態を示す外観図である。
【図２】本発明のドアの安全装置のカバーシートの実施例を示す図である。
【図３】本発明のドアの安全装置のカバーシートの実施例の取り付け状態を示す平面図である。
【図４】本発明のカバーシートの構成を示す概略図である。
【図５】本発明のドアの安全装置のカバーシートの他の実施例を示す図である。
【図６】本発明のドアの安全装置のカバーシートの他の実施例の取り付け状態を示す平面図である。
【図７】本発明のドアの安全装置のカバーシート収納手段の実施例を示す図である。
【図８】本発明のドアの安全装置のカバーシート収納手段の実施例の取り付け状態を示す図である。
【図９】本発明のドアの安全装置のカバーシート収納手段の他の実施例を示す図である。
【図１０】本発明のドアの安全装置のカバーシート収納手段の他の実施例の取り付け状態を示す平面図である。
【図１１】本発明のドアの安全装置のドア内部カバーシート収納手段の実施例を示す図である。
【図１２】本発明のドアの安全装置のドア内部カバーシート収納手段の実施例の取り付け状態を示す断面図である。
【図１３】本発明のドアの安全装置のドア内部カバーシート収納手段の他の実施例を示す図である。
【図１４】本発明のドアの安全装置のドア内部カバーシート収納手段の他の実施例の取り付け状態を示す断面図である。
【符号の説明】
【００５２】１、１１、２１、３１、４１、５１  ドア
２、１２、２２、３２、４２、５２  ドアフレーム
３、１３、２３、３３、４３、５３  カバーシート
３ａ  弾性を有するゴム製のシート
３ｂ  硬質樹脂製による固定部材
４、１４、２４、３４、４４、５４  蝶番
５、１５、２５、３５、４５、５５  取手
２３ａ  薄いプラスチックシート
２３ｂ  取付け部
２６、３６  収納ケース
４７、５７  収納部
【図１】
2009299447.tif 000003
【図２】
2009299447.tif 000004
【図３】
2009299447.tif 000005
【図４】
2009299447.tif 000006
【図５】
2009299447.tif 000007
【図６】
2009299447.tif 000008
【図７】
2009299447.tif 000009
【図８】
2009299447.tif 000010
【図９】
2009299447.tif 000011
【図１０】
2009299447.tif 000012
【図１１】
2009299447.tif 000013
【図１２】
2009299447.tif 000014
【図１３】
2009299447.tif 000015
【図１４】
2009299447.tif 000016